(57)【要約】【課題】  簡素な構成でかつ人為的な操作を必要とすることなく、封水室に封水切れが生じた場合でも外部からの気体と液体の逆流を確実に防止し得る排水装置を提供する。【解決手段】  室内排水口に接続された排水経路に封水室を設け、該封水室内に排水の圧力や浮力によって上下動するフロートを配置し、該フロートが上昇した際に排水経路が開放されて連通する排水状態と、フロートが下降した際に排水経路が遮断されて、室内排水口以外から封水室内に進入する液体及びに気体の室内排水口方向への逆流を防止し得る封水状態のいずれかに設定されることを特徴とする。前記封水室は、例えば筒形状に形成された封水管と該封水管の底壁に接続されたＵ字屈曲管とで形成されたり、有底筒状の外側筒と筒状の内側筒との間に形成される。【選択図】  図１
2006138065.tif 000002
【特許請求の範囲】
【請求項１】
室内排水口に接続された排水経路に封水室を設け、該封水室内に排水の圧力や浮力によって上下動するフロートを配置し、該フロートが上昇した際に排水経路が開放されて連通する排水状態と、前記フロートが下降した際に排水経路が遮断されて、前記室内排水口以外から封水室内に進入する液体及び気体の室内排水口方向への逆流を防止し得る封水状態のいずれかに設定されることを特徴とする排水装置。
【請求項２】
前記封水状態は、フロートが下降した際に、該フロートより上流側の封水室に所定量の封水が貯留されている場合に、該封水とフロートによって室内排水口以外から封水室内に進入する液体及び気体の室内排水口方向への逆流を防止する第１の封水状態と、前記フロートより上流側の封水室に所定量の封水が貯留されていない場合に、前記フロートによって室内排水口以外から封水室内に進入する液体及び気体の室内排水口方向への逆流を防止する第２の封水状態のいずれかであることを特徴とする請求項１に記載の排水装置。
【請求項３】
前記封水室は、筒形状に形成された封水管と該封水管の底壁に接続されたＵ字屈曲管とで形成され、前記封水管の側壁に前記室内排水口以外の他の排水口に接続された配管が接続されていることを特徴とする請求項１または２に記載の排水装置。
【請求項４】
前記封水室は、有底筒状の外側筒と筒状の内側筒との間に形成され、内側筒の上面開口部が前記室内排水口に接続されると共に、外側筒の側壁に前記室内排水口以外の他の排水口に接続された配管が接続されていることを特徴とする請求項１または２に記載の排水装置。
【請求項５】
前記フロートは、略板状に形成されて前記封水室の側壁に設けたガイドに沿って上下動すると共に、前記側壁の上部に設けたストッパにより前記排水状態に設定されることを特徴とする請求項１ないし４のいずれかに記載の排水装置。
【請求項６】
前記封水室は、複数の配管部材を組み立てることにより形成されていることを特徴とする請求項１ないし５のいずれかに記載の排水装置。
【発明の詳細な説明】
【技術分野】
【０００１】
本発明は、例えばトイレユニット、浴室、洗面室等の水廻り空間の排水経路に設置される排水装置に関する。
【背景技術】
【０００２】
従来、この種の排水装置には、外部排水路からの臭い等の逆流を防止するために排水トラップが設けられており、この排水トラップとしては、例えば図８もしくは図９に示すものが知られている。このうち図８に示す排水トラップ１０１は、排水用の排管をＵ字状に屈曲させて封水室１０２を設け、この封水室１０２内に所定量の水（封水）を貯留することにより、矢印ロの如く進入する外部からの臭いの排水口方向への逆流を防止するようにしたものである。
【０００３】
また、図９に示す排水トラップ１０３は、有底筒状の外側筒１０４の内面と筒状の内側筒１０５の外面との間に封水室１０６を設け、この封水室１０６内に所定量の水（封水）を貯留することにより、矢印ロの如く進入する外部からの臭いの排水口方向への逆流を防止するようにしたものである。なお、図９に示す排水トラップ１０３としては、例えば特許文献１に開示されている。
【特許文献１】特開２０００−８０６９５号公報
【発明の開示】
【発明が解決しようとする課題】
【０００４】
しかしながら、これらの排水トラップにあっては、封水室内に貯留された所定量の封水によって外部からの臭い等の逆流を防止する構造であるため、封水室内に封水が貯留されている場合には臭い等の逆流を防止できるものの、例えば所定期間排水が無く封水室内の封水が蒸発する等してその量が減少し封水切れになった場合には、外部からの臭い等の逆流を防止することが困難である。そこでこのような不都合を解消するために、例えば排水口に臭い逆流防止用の開閉可能な蓋体を配置して、封水切れの場合にこの蓋体を手動により閉じて臭いの逆流を防止するようにしたものも一部で使用されている。しかしこの場合は、排水トラップ以外に別体の蓋体が必要となって、部材コストがアップすると共に、封水室の状態に応じて蓋体を開閉操作する必要があり操作性の面でも好ましくない。
【０００５】
本発明は、このような事情に鑑みてなされたもので、その目的は、簡素な構成でかつ人為的な操作を必要とすることなく、封水室に封水切れが生じた場合でも外部からの気体と液体の逆流を確実に防止し得る排水装置を提供することにある。
【課題を解決するための手段】
【０００６】
かかる目的を達成すべく、本発明のうち請求項１に記載の発明は、室内排水口に接続された排水経路に封水室を設け、該封水室内に排水の圧力や浮力によって上下動するフロートを配置し、該フロートが上昇した際に排水経路が開放されて連通する排水状態と、前記フロートが下降した際に排水経路が遮断されて、前記室内排水口以外から封水室内に進入する液体及び気体の室内排水口方向への逆流を防止し得る封水状態のいずれかに設定されることを特徴とする。
【０００７】
そして、前記封水状態とは、請求項２に記載の発明のように、フロートが下降した際に、前記フロートより上流側の封水室内に所定量の封水が貯留されている場合に、該封水とフロートによって室内排水口以外から封水室内に進入する液体及び気体の室内排水口方向への逆流を防止する第１の封水状態と、前記フロートより上流側の封水室内に所定量の封水が貯留されていない場合に、前記フロートによって室内排水口以外から封水室内に進入する液体及び気体の室内排水口方向への逆流を防止する第２の封水状態のいずれかであることが好ましい。
【０００８】
また、前記封水室は、請求項３に記載の発明のように、筒形状に形成された封水管と該封水管の底壁に接続されたＵ字屈曲管とで形成され、前記封水管の側壁に前記室内排水口以外の他の排水口に接続された配管が接続されていることが好ましい。また、前記封水室は、請求項４に記載の発明のように、有底筒状の外側筒と筒状の内側筒との間に形成され、内側筒の上面開口部が前記室内排水口に接続されると共に、外側筒の側壁に前記室内排水口以外の他の排水口に接続された配管が接続されていることが好ましい。
【０００９】
さらに、前記フロートは、請求項５に記載の発明のように、略板状に形成されて前記封水室の側壁に設けたガイドに沿って上下動すると共に、前記側壁の上部に設けたストッパにより前記排水状態に設定されることが好ましい。また、前記封水室は、請求項６に記載の発明のように、複数の配管部材を組み立てることにより形成されていることが好ましい。
【発明の効果】
【００１０】
本発明のうち請求項１に記載の発明によれば、排水経路に設けた封水室内に排水の圧力や浮力によって上下動するフロートを配置し、このフロートの上下動によって排水経路が開放もしくは遮断されて排水状態と封水状態のいずれかに設定されるため、排水経路にフロートを有する封水室を設けるという簡素な構成でかつ人為的な操作を必要とすることなく、封水室内に封水が貯留される場合は勿論のこと封水室内に封水切れが生じた場合であっても、フロートによる排水経路の遮断で室内排水口以外からの臭い（気体）と排水（液体）の室内排水口方向への逆流を防止することできる。
【００１１】
また、請求項２に記載の発明によれば、請求項１に記載の発明の効果に加え、フロートが下降した際に、フロートと封水によって液体及び気体の逆流が防止される第１の封水状態か、フロートによって液体及び気体の逆流が防止される第２の封水状態のいずれかに設定されるため、封水室内に封水切れが生じた場合でも、フロートの下降という簡素な構成により液体や気体の逆流を同時にかつ確実に防止することができる。
【００１２】
また、請求項３に記載の発明によれば、請求項１または２に記載の発明の効果に加え、封水室が筒形状に形成された封水管と該封水管の底壁に接続されたＵ字屈曲管とで形成され、封水管の側壁に他の排水口に接続された配管が接続されているため、Ｕ字屈曲管の一端開口部に封水管を接続することで封水室を形成できて、排水装置の構成を簡素化でき、例えば洗面化粧台下部等のように高さの比較的高い配管空間等に簡単に設置することができる。
【００１３】
また、請求項４に記載の発明によれば、請求項１または２に記載の発明の効果に加え、封水室が外側筒と内側筒との間に形成され、内側筒の上面開口部が室内排水口に接続されると共に、外側筒の側壁に他の排水口に接続された配管が接続されているため、内側筒と外側筒間に封水室を形成できて、排水装置の構成を簡素化でき、例えば浴室等のように高さの低い配管空間であっても簡単に設置することができると共に、円環状の封水室内にリング状のフロートをスムーズに上下動可能に配置できて、排水装置に安定した排水動作や封水動作等を得ることができる。
【００１４】
さらに、請求項５に記載の発明によれば、請求項１ないし４に記載の発明の効果に加え、フロートが略板状に形成され封水室の側壁に設けたガイドに沿って上下動すると共に、側壁上部のストッパで停止させられて排水状態に設定されるため、ガイド等によりフロートの所定範囲内における上下動がスムーズに行えて、排水装置に一層安定した排水動作や封水動作等を得ることができる。
【００１５】
またさらに、請求項６に記載の発明によれば、請求項１ないし５に記載の発明の効果に加え、封水室が複数の配管部材を組み立てることにより形成されているため、例えば排管部材としての異径継手を使用して封水室を組み立てることができて、各種の配管形態に容易に対応できる等、排水装置の設置の汎用性を向上させることができる。
【発明を実施するための最良の形態】
【００１６】
以下、本発明の実施の形態を図面に基づいて詳細に説明する。
図１〜図５は、本発明に係わる排水装置の第１の実施形態を示し、図１がその一部破断した斜視図、図２及び図３が封水管の縦断面図及び横断面図、図４が動作説明図、図５が封水管の変形例を示す斜視図である。
【００１７】
図１〜図３に示すように、排水装置１は、第１の配管３と第２の配管４により形成される排水経路Ｒの途中に設けられた封水管５とＵ字屈曲管６からなる封水室２を有している。この封水室２のうち封水管５は、例えば透明な樹脂の成形によって底壁５ａを有し上端開口部が着脱可能な蓋体７で覆われた円筒形状に形成され、底壁５ａの中心位置と側壁５ｂの高さ方向の中心より上方位置には円形の排水孔８、９が形成されている。また、封水室２のうちＵ字屈曲管６は、例えば前記第１の配管３の先端部をＵ字状に屈曲させることにより形成されている。
【００１８】
そして、封水管５の底壁５ａに設けた排水孔８に前記第１の配管３のＵ字屈曲管６の他端部が接続され、封水管５の側壁５ｂに設けた排水孔９に前記第２の配管４の一端部が接続されている。すなわち、前記Ｕ字屈曲管６の上方に指向した高さの高い一端部（すなわち第１の配管３の一端部）が、図１に二点鎖線で示すトイレユニットの水洗い可能な床面１０に設けた室内排水口１１に接続され、Ｕ字屈曲管６の上方に指向し高さの低い他端部が封水管５の前記排水孔８に下方から接続されている。また、前記第２の配管４は、略Ｌ字形状に屈曲された水平な一端部が封水管５の側壁５ｂの排水孔９に水平方向から接続され、下方に向けて屈曲形成された他端部が外部排水口１３に接続されている。
【００１９】
また、前記封水管５内には、フロート１５が上下動可能に配設されている。このフロート１５は、例えば樹脂や軽量金属等により水に浮くことが可能な円板状に形成され、その外周縁の直径方向位置にはガイド凹部１５ａがそれぞれ形成されている。そして、このガイド凹部１５ａは、封水管５の側壁５ｂ内面で直径方向位置に、中心方向に向けて突出形成された上下方向の突条からなる一対のガイド１６にそれぞれ嵌合しており、これによりフロート１５が、その外周面を封水管５の側壁５ｂ内面に摺接させた状態、すなわちフロート１５により封水管５内が上下に水密性や気密性を有して区画された状態で、ガイド１６に沿って排水の圧力や浮力によって封水管５内を上下動するようになっている。
【００２０】
前記蓋体７は、例えば透明樹脂により円盤形状に形成され、その裏面（下面）に設けた円環状の突条７ａが封水管５の上端開口部に嵌合（もしくは螺合）されることにより、封水管５に着脱可能に装着されている。そして、封水管５の側壁５ｂ内面で蓋体７の下部には、ストッパ１７が側壁５ｂ内面の例えば直径方向位置に内側方向に所定高さ突出状態で設けられている。このストッパ１７により、フロート１５の封水管５内における最上位位置が設定されるようになっている。なお、このストッパ１７を廃止して蓋体７の突条７ａにストッパ機能を持たせることも勿論可能である。
【００２１】
このように構成された排水装置１は、その封水管５が前記トイレユニットの室内排水口１１の下部に形成された配管空間で第１の配管３と第２の配管４との間に設置され、室内排水口１１の上部を覆う床蓋１２（図１参照）もしくは着脱可能な床面１０を取り外した際に、透明な蓋体７から封水管５内が視認できると共に、着脱可能な蓋体７を取り外すことにより、封水管５内からフロート１５を取り出したり封水管５やフロート１５の清掃等が行えるようになっている。そして、このトイレユニットに設置された排水装置１は、図４に示すようにして動作する。
【００２２】
すなわち、封水室２内に所定量の封水が貯留された封水状態は、図４（ａ）に示すように、封水室２のＵ屈曲管６内に封水Ｗ１が貯留された状態となり、この時、封水Ｗ１の量によって封水管５内にも封水Ｗ１が貯留され、この封水管５内の封水Ｗ１上にフロート１５が浮上した状態となっている。この封水状態においては、Ｕ字屈曲管６内に貯留されている封水Ｗ１及び封水管５内のフロート１５により、第１の配管３と第２の配管４からなる排水経路Ｒが遮断された状態となって、第２の配管４を介した臭い（気体）や排水（液体）の封水管５及び第１の配管３を介した室内排水口１１方向への矢印ロに示す逆流が防止されることになる。なお、この封水状態における封水管５内のフロート１５の最上位位置は排水口９の略下縁位置、すなわちフロート１５の上下動範囲が図２に示す範囲Ｈとなる。
【００２３】
一方、図４（ａ）に示す封水状態において、トイレユニットの床面１０を水洗いすると、その排水（内部排水Ｗ２という）が室内排水口１１から第１の配管３を介して封水管５内に供給されて、封水管５内のフロート１５が内部排水Ｗ２の圧力や浮力で図２の二点鎖線ａで示す位置まで上昇し、該位置でストッパ１７に当接して最上位位置に停止される。これにより、フロート１５が排水孔９の上方位置に設定されて排水経路Ｒが開放された状態となり、図４（ｂ）の矢印イに示すように、内部排水Ｗ２が第１の配管３→封水管５（封水室２）内→第２の配管４を流れて外部排水口１３に排水される排水状態に設定される。
【００２４】
また、図４（ａ）に示す封水状態において、Ｕ字屈曲管６内の封水Ｗ１が蒸発して図４（ｃ）に示すように封水室２内に封水Ｗ１が完全になくなるか、あるいは図４（ｃ）の二点鎖線で示すように、封水Ｗ１が封水管５の底壁５ａより下方のＵ字屈曲管６にのみ貯留される状態になると、フロート１５が封水管５の底壁５ａ上に載置された状態となって、図２の二点鎖線ｂで示すように底壁５ａの排水孔８がフロート１５で閉塞された状態となる。このフロート１５による排水孔８の閉塞により排水経路Ｒが遮断された状態となり、図４（ｃ）の矢印ロの如く第２の排管４を介して封水管５内に進入した外部配管内の排水（外部排水Ｗ３という）や臭いが封水管５内において遮断されて、室内排水口１１方向への逆流が防止される逆流防止状態に設定される。
【００２５】
つまり、この排水装置１の場合、排水経路Ｒ中に設けられる封水室２を形成する封水管５内に内部排水Ｗ２の圧力等によって上下動するフロート１５を配置し、このフロート１５の下降によって排水経路Ｒを遮断することで臭いと水の逆流防止状態が得られ、また、フロート１５の上昇によって排水経路Ｒを開放することで排水状態が得られることになる。また、封水室２内に所定量の封水Ｗ１が貯留されている場合には、この封水Ｗ１とフロート１５の両方によって排水経路Ｒが遮断された封水状態が得られることになる。
【００２６】
なお、以上の例においては、第１の配管３のＵ字屈曲管６の端部に、所定高さの単一の封水管５を接続することで封水室２を形成する場合について説明したが、封水管５を図５に示すように、配管部材としての複数個（図では４個）の異径継手１８ａ〜１８ｄを接続することにより形成しても良い。この例の場合は、図で示すように、その内部にフロート１５が上下動可能に配置される異径継手１８ａを最下端に位置させ、その上方に第２の配管４が接続される異径継手１８ｃが接続され、この位置関係が維持される限り各異径継手１８ａ〜１８ｄの位置を適宜に設定したり、適宜の径や個数の異径継手を使用することができる。
【００２７】
このように、上記実施形態の排水装置１にあっては、室内排水口１１を外部排水口１３に連通させる排水経路Ｒに上下動可能なフロート１５を有する封水管５に接続し、この封水管５内のフロート１５の上下動によって排水経路Ｒが開放もしくは遮断されて排水状態と封水状態のいずれかに設定されるため、排水経路Ｒを構成する第１の配管３と第２の配管４との間に封水管５を接続するという簡素な構成により、Ｕ字屈曲管６と封水管５とで封水室２を形成し、この封水室２内に封水Ｗ１が貯留される場合は勿論のこと、封水室２内に封水Ｗ１切れが生じた場合であっても、フロート１５により排水経路Ｒを遮断できて、外部排水口１３等からの臭い（気体）と外部排水Ｗ３（液体）の逆流を確実に防止することできる。
【００２８】
特に、封水管５内のフロート１５の下降により得られる封水状態が、このフロート１５より上流側のＵ字屈曲管６内に貯留されている封水Ｗ１とフロート１５とで臭いと外部排水Ｗ３の逆流を防止する第１の封水状態と、封水管５内のフロート１５による排水孔８の閉塞で臭いと外部排水Ｗ３の逆流を防止する第２の封水状態のいずれかに設定されることから、封水室２内に封水Ｗ１切れが生じた場合であっても、フロート１５の下降による所定位置への機械的な位置設定という簡素な構成で外部排水Ｗ３と臭いの逆流を同時に防止することが可能となる。
【００２９】
また、略板状に形成されたフロート１５のガイド凹部１５ａが、封水管５の側壁５ｂ内面に設けたガイド１６でガイドされつつフロート１５が封水管５内を上下動すると共に、上昇したフロート１５が側壁５ａ内面上部に設けたストッパ１７等により停止させられて排水状態に設定されるため、封水管５内におけるフロート１５の上下動がスムーズとなって、フロート１５の上下に気密性等を有する所定状態の区画空間を確実に形成できて、排水装置１に安定した排水動作や封水動作あるいは逆流防止動作を得ることができる。
【００３０】
さらに、封水室２が筒形状に形成された封水管５と、この封水管５の底壁５ａに接続されたＵ字屈曲管６とで形成され、封水管５の側壁５ｂに外部排水口１３に接続された第２の配管４の水平な一端部が接続されているため、Ｕ字屈曲管６の一端開口部に封水管５を接続することで封水室２を形成できて、排水装置１の構成を簡素化することができ、例えば洗面化粧台下部等のように高さの比較的高い配管空間等に排水装置１を簡単かつ好適に設置することができる。また、封水管５を複数の配管部材としての異径継手１８ａ〜１８ｄを使用して組み立てるようにすれば、各種の配管形態に応じた異径継手を使用して封水管５（封水室２）を組み立てることができて、排水装置１の設置の汎用性を向上させることができる。
【００３１】
またさらに、封水管５内のフロート１６が内部排水Ｗ２の圧力等によって自動的に上下動して排水状態や封水状態等に設定されるため、所定期間排水がされない場合等に、従来のように室内排水口１１の開閉可能な床蓋を閉操作する必要がなくなり、操作性や使い勝手に優れた排水装置１を得ることができる。また、封水管５の上端開口部を閉塞する蓋体７が透明でかつ着脱可能に構成されると共に封水管５自体も透明に形成されているため、床面１０の床蓋１２等を取り外すだけで封水管５内の状態を容易に視認できたり、蓋体７を取り外すことでフロート１５を取り外して清掃や新規部品に交換できたり、あるいは封水管５内やフロート１５の清掃を簡単に行うことができて、メンテナンス性に優れた排水装置１の提供が可能となる。
【００３２】
図６は、本発明に関わる排水装置の第２の実施形態を示しており、以下、上記実施形態と同一部位には同一符号を付して説明する。この実施形態の排水装置１の特徴は、前記封水室２を、上面が開口した有底筒状の外側筒２０の内周面と、この外側筒２０内に嵌挿配置され上端開口部が室内排水口１１に接続されると共に下端開口部が外側筒１０内に開口する筒状の内側筒２１の外面との間に形成し、この封水室２内に内側筒２１に嵌挿される状態で平面視リング状のフロート１５を上下動可能に配置した点にある。
【００３３】
この時、内側筒２１が前記第１の配管３に相当し、外側筒２０の側壁の所定高さ位置に形成された排水孔９に前記第２の配管４の水平な一端部が接続された状態となっており、これにより、外側筒２０と内側筒２１によって、図の矢印の如く内部排水Ｗ２が流通する排水経路Ｒが形成されている。なお、この実施形態においても、上記第１の実施形態と同様に、図示はしないもののフロート１５の外周面（及び又は内周面）に設けたガイド凹部１５ａが、外側筒２０の内面（及び又は内側筒２１の外面）に上下方向に指向して設けられたガイド１６にガイドされつつフロート１５が上下動するようになっている。また、外側筒２０の内面上部（及び又は内側筒２１の外面上部 ）には、フロート１５の抜け防止用の前記ストッパ１７が設けられ、内側筒２１の外面下端（及び又は外側筒２０の内面下部）には、フロート１５を下端の所定位置に停止させるストッパ２２が設けられている。
【００３４】
この実施形態の場合も、封水室２内に所定量の封水Ｗ１が貯留されることにより、排水経路Ｒが封水Ｗ１とフロート１５で遮断されて前記封水状態が得られ、封水Ｗ１がなくなること等によりフロート１５が下降してストッパ２２の位置で停止することにより、排水経路Ｒがフロート１５で遮断されて、第２の配管４から封水室２内に進入した外部排水Ｗ３や臭いの室内排水口１１への逆流が防止されて前記逆流防止状態が得られることになる。また、フロート１５が内側筒２１の内部から進入する内部排水Ｗ２により封水室２内を上昇してストッパ１７により最上位位置に停止すると、排水経路Ｒが開放された状態となって前記排水状態が得られることになる。
【００３５】
これにより、上記第１の実施形態と同様の作用効果が得られると共に、外側筒２０と内側筒２１の高さを前記Ｕ字屈曲管６を有する第１の配管３に比較して低くできて、床面下の配管空間が狭い（低い）、例えばバスタブの底面下方や洗い場に設けられる浴室内の室内排水口、あるいは浴室に連接される洗面室の洗濯機下方に設けられる室内排水口等に好適に適用できることになる。
【００３６】
ところで、上記各実施形態においては、排水装置１をトイレユニットや浴室あるいは洗面室内の室内配水口１１と外部排水口１３との間に設けられた排水経路Ｒに設置したが、本発明に係わる排水装置１は、例えば図７に示すような排水経路にも適用することができる。すなわち、浴室の防水パン２３の壁パネル２４下端が載置される外周フランジ部２３ａに前記室内排水口１１に相当する一方の排水口２５を設けると共に、防水パン２３の側壁２３ｂの所定高さ位置に前記排水口２５とは異なる他方の排水口２６を設け、防水パン２３の側壁２３ｂの外側空間内で両排水口２５、２６間に、例えば前記第１の実施形態の排水装置１を設置する。
【００３７】
この構成によれば、浴室の壁パネル２４の内側から外側に回った水や壁パネル２４の外面を伝わって流れ落ちる結露等の水Ｗ４を、浴室内から排水口２６を介した排水口２５方向への逆流を防止した状態で、排水口２５から排水装置１に供給して排水口２６から浴室内の防水パン２３上に戻すことができる。その結果、例えば開閉可能な浴室ドアの近傍から浴室内の水が浴室外である洗面室内に漏出すること等を確実に防止できることになる。このように、本発明に係わる排水装置１は、排水方向への排水が良好に行え、逆方向への水や臭い、更には湿気等の進入を同時に防止すべき水廻り空間の各種排水経路に適用することができる。
【００３８】
なお、上記各実施形態においては、フロート１５を比較的厚さの薄い円板状に形成したが、例えば所定の板厚を有する円柱状や断面楕円形状等の適宜の構成を採用することもできる。また、封水管５の断面形状も円形に限らず正方形に形成したり、その材質も透明樹脂に限らず不透明な樹脂を使用したり、封水管５の蓋体７も密閉式のものや不透明なものを使用することができる。また、上記各実施形態におけるガイド凹部１５ａやガイド１６及びストッパ１７、２２の配置位置や形状も一例であって、フロート１５が所定範囲でスムーズに上下動できる適宜位置や適宜形状を採用することができる。
【産業上の利用可能性】
【００３９】
本発明は、一般家庭の浴室や洗面室、トイレユニット等の排水装置に限らず、一般家庭以外の例えば使用頻度が比較的低く封水切れが生じ易い公園や公民館等の公共施設のトイレや洗面室、あるいは病院等のような各種施設のトイレや洗面室等に設置される排水装置にも適用できる。
【図面の簡単な説明】
【００４０】
【図１】本発明に係わる排水装置の第１の実施形態を示す一部破断した斜視図
【図２】同その封水管の縦断面図
【図３】同図２のＡ−Ａ線矢視図
【図４】同排水装置の動作説明図
【図５】同その封水管の変形例を示す斜視図
【図６】本発明に係わる排水装置の第２の実施形態を示す内部を透視した斜視図
【図７】本発明に係わる排水装置の使用状態の他の例の説明図
【図８】従来の排水装置の説明図
【図９】従来の他の排水装置の説明図
【符号の説明】
【００４１】
１・・・排水装置、２・・・封水室、３・・・第１の配管、４・・・第２の配管、５・・・封水管、５ａ・・・底壁、５ｂ・・・側壁、６・・・Ｕ字屈曲管、７・・・蓋体、８、９・・・排水孔、１０・・・床面、１１・・・室内排水口、１３・・・外部排水口、１５・・・フロート、１５ａ・・・ガイド凹部、１６・・・ガイド、１７・・・ストッパ、１８ａ〜１８ｄ・・・異径継手、２０・・・外側筒、２１・・・内側筒、２２・・・ストッパ、２３・・・防水パン、２３ａ・・・外周フランジ部、２３ｂ・・・側壁、２４・・・壁パネル、２５、２６・・・排水口、Ｒ・・・排水経路、Ｗ１・・・封水、Ｗ２・・・内部排水、Ｗ３・・・外部排水、Ｗ４・・・水。
【図１】
2006138065.tif 000003
【図２】
2006138065.tif 000004
【図３】
2006138065.tif 000005
【図４】
2006138065.tif 000006
【図５】
2006138065.tif 000007
【図６】
2006138065.tif 000008
【図７】
2006138065.tif 000009
【図８】
2006138065.tif 000010
【図９】
2006138065.tif 000011